(57)【要約】      （修正有）【課題】衝撃吸収効果及び通気効果に優れたハイヒール構造を提供する。【解決手段】大底２１、中底２２、及び脚床２３を重ねてなる靴底２０であって、中底と脚床の間に、気室２４と流道２７を形成する。気室内は、複数の弾性柱状突起を設置し、前記脚床上に、前記気室と相通する複数の吸気孔２６を形成する。流道の両側は、それぞれ、気室と外界と連通し、これにより、ハイヒールの厚さを増加させることなく、気室と弾性柱状突起２５により、緩衝空間を形成して、衝撃を減少させ、ハイヒール内の空気を不断に交換することにより、乾燥環境を維持することができる。【選択図】図２
0003161656.tif 000002
【実用新案登録請求の範囲】
【請求項１】
靴面、靴底、及びヒール部からなり、衝撃吸収効果及び通気効果に優れたハイヒール構造であって、
前記靴底は、大底、前記大底上面に接着された中底、及び前記中底上面に接着された脚床の各層からなり、
前記中底周囲と前記脚床周囲は完全に密合し、前記中底と前記脚床の層間には、気室を形成し、前記気室内には複数の弾性柱状突起を設置し、また、前記中底と前記脚床の層間には流道を形成し、前記流道の一端が前記気室と連通し、他端には、排気孔を形成して、外界と連通し、かつ、前記排気孔内には、更に、単方向弁を設置し、前記脚床上に、前記気室と連通する複数の吸気孔を穿設してなり、
これにより、使用者が前記ハイヒールを使用して歩行する時、前記気室と前記弾性柱状突起が緩衝空間を形成して、緩衝、吸震効果を奏し、歩行時の快適性を増加し、また、歩行中、前記気室内の空気が前記流道により前記ハイヒールから排出し、前記吸気孔から再度、空気が前記気室中に進入し、前記ハイヒール内の空気が不断に交換されて、乾燥環境を維持でき、また、前記気室と前記流道は、前記中底と前記脚床の間に形成されるので、前記ハイヒールの厚さを増加せず、前記ハイヒールの外観の美感を維持できることを特徴とするハイヒール構造。
【請求項２】
前記気室、前記弾性柱状突起、及び前記流道と前記脚床は、一体成型してなり、前記脚床の前記中底に対面する一側に凹設されることを特徴とする請求項１に記載のハイヒール構造。  
【請求項３】
前記気室内に、更に、通気支承パッドを設置し、前記通気支承パッドはスポンジ製であることを特徴とする請求項１に記載のハイヒール構造。
【請求項４】
前記流道は前記硬質板を蓋設してなることを特徴とする請求項１に記載のハイヒール構造。  
【請求項５】
前記気室は、前記靴底前部の脚の裏位置に設置され、前記流道の前記気室に相対する一端は、前記ヒールから延伸設置され、また、前記大底の前記ヒール近くに、前記流道と相通する前記排気孔を設置して、前記流道が外界と相通するように構成したことを特徴とする請求項１に記載のハイヒール構造。
【考案の詳細な説明】
【技術分野】
【０００１】
本考案は、ハイヒールの構造に関するものであり、さらに詳しくは衝撃を容易に吸収すると共に、通気効果を有する靴底を有するハイヒールの構造に関するものである。
【背景技術】
【０００２】
靴の履き心地をよくするため、靴の製造業者は、公知の靴の靴底に対し改良を加え、その改良方式は、靴底にクッションを設置し、脚が地面に着地するとき、クッションが衝撃を緩衝するか、或いは、靴底の大底と中底の層間に、多くの支承柱を凸設させることにより、層間に隙間を形成させて、着地時に、衝撃を吸収し、又は通気効果を発揮させるなど、使用時の快適性を達成している。
【０００３】
しかし、このような改良方式によれば、快適性が増加するが、クッションや支承柱は一定の体積があるので、靴底の厚さが増加し、応用できる靴の種類が制限され、特に、ハイヒールでは、厚い靴底は外観に影響するという問題がある。
【０００４】
かかる状況下において、ハイヒールについては各種の提案があり、ハイヒール底の安定性を改良し、履き心地のよりハイヒール靴として、例えば、特開２００２−２６２００２号公報（以下、「特許文献１」という。）に開示されているが、靴底が厚くなく、衝撃吸収効果及び通気効果を有する点については示唆されていない。
【特許文献１】特開２００２−２６２００２号公報
【考案の開示】
【考案が解決しようとする課題】
【０００５】
従って、本考案の課題は、衝撃の吸収効果及び通気効果を有するハイヒール構造を提供し、上述の問題を解決することにある。
【課題を解決するための手段】
【０００６】
そこで、本考案者は、前記の本考案の課題を解決するために鋭意検討を重ねた結果、ハイヒールの靴底を構成する大底、中底及び脚床からなる各層において中底と脚床との層間に少なくとも気室と流動を形成させることにより、前記課題を解決できることに着目し、かかる知見に基づいて本考案に想到した。
【０００７】
すなわち、本考案に係るハイヒール構造であって、衝撃を吸収し、通気効果を有するハイヒール構造において、ハイヒールの靴底は、大底、中底、及び脚床を重ねて層状とし、中底と脚床の層間に、気室と流道を形成させる。気室内は、複数の弾性柱状突起を設置し、且つ、前記脚床上に、前記気室と相通する複数の吸気孔を穿設する。流道の両側は、それぞれ、気室と外界と連通し、これにより、ハイヒールの厚さを増加させることなく、気室と弾性柱状突起により、緩衝空間を形成して、衝撃を減少させ、ハイヒール内の空気を不断に交換するので、乾燥環境が維持される。
【０００８】
かくして、本考案によれば、
請求項１において、
靴面、靴底、及びヒール部からなり、衝撃吸収効果及び通気効果に優れたハイヒール構造であって、
前記靴底は、大底、前記大底上面に接着された中底、及び前記中底上面に接着された脚床の各層からなり、
前記中底周囲と前記脚床周囲は完全に密合し、前記中底と前記脚床の層間には、気室を形成し、前記気室内には複数の弾性柱状突起を設置し、また、前記中底と前記脚床の層間には流道を形成し、前記流道の一端が前記気室と連通し、他端には、排気孔を形成して、外界と連通し、かつ、前記排気孔内には、更に、単方向弁を設置し、前記脚床上に、前記気室と連通する複数の吸気孔を穿設してなり、
これにより、使用者が前記ハイヒールを使用して歩行する時、前記気室と前記弾性柱状突起が緩衝空間を形成して、緩衝、吸震効果を奏し、歩行時の快適性を増加し、また、歩行中、前記気室内の空気が前記流道により前記ハイヒールから排出し、前記吸気孔から再度、空気が前記気室中に進入し、前記ハイヒール内の空気が不断に交換されて、乾燥環境を維持でき、また、前記気室と前記流道は、前記中底と前記脚床の間に形成されるので、前記ハイヒールの厚さを増加せず、前記ハイヒールの外観の美感を維持できることを特徴とするハイヒール構造が提供される。
【０００９】
請求項２に係る考案によれば、前記気室、前記弾性柱状突起、及び前記流道と前記脚床は、一体成型してなり、前記脚床の前記中底に対面する一側に凹設されることを特徴とする請求項１に記載のハイヒール構造が提供される。  
【００１０】
請求項３に係る考案によれば、前記気室内に、更に、通気支承パッドを設置し、前記通気支承パッドはスポンジ製であることを特徴とする請求項１に記載のハイヒール構造が提供される。
【００１１】
請求項４に係る考案によれば、前記流道は前記硬質板を蓋設してなることを特徴とする請求項１に記載のハイヒール構造が提供される。  
【００１２】
請求項５に係る考案によれば、前記気室は、前記靴底前部の脚の裏位置に設置され、前記流道の前記気室に相対する一端は、前記ヒールから延伸設置され、また、前記大底の前記ヒール近くに、前記流道と相通する前記排気孔を設置して、前記流道が外界と相通するように構成したことを特徴とする請求項１に記載のハイヒール構造が提供される。
【考案の効果】
【００１３】
本考案のハイヒールは、脚部の着地時に衝撃を緩衝し、また、ハイヒール内の空気が乾燥環境を維持でき、ハイヒールの厚さを増加することなく、前記効果を奏すると共に美感を維持できるという長所がある。
【考案を実施するための最良の形態】
【００１４】
以下、本考案について図面に基づいて具体的に説明する。もっとも、かかる図面によって本考案が限定されるものではない。
図１〜図３を参照すると、本考案に係るハイヒール構造であって、衝撃を吸収し、通気効果を有するハイヒール構造１００は、靴面１０、靴底２０、及びヒール部３０からなることが示されてある。靴底２０は、大底２１、大底２１上面に接着された中底２２、及び中底２２上面に接着された脚床２３から構成される。
【００１５】
中底２２及び脚床２３の層間に、気室２４を形成させ、気室２４内には、複数の弾性柱状突起２５を設置する。本実施形態中、気室２４は、靴底２０前部の足の裏部分に相当する位置に設置される。気室２４、及び弾性柱状突起２５は、脚床２３と一体成型されてなり、気室２４は、脚床２３の中底２２に対面する一側に凹設される。弾性柱状突起２５は、気室２４中に立設され、脚床２３は、ポリウレタン（PU）等の柔軟で、弾性を有する材質からなる。よって、弾性柱状突起２５は、好ましい弾性を有し、また、脚床２３は、熱溶融等の方式で、中底２２上に接着され、中底２２周囲と脚床２３周囲は完全に密合し、気室２４が密閉状態を形成する。弾性柱状突起２５（図３）が中底２２上で停止して、十分な弾性が気室２４を支承し、緩衝空間を形成する。使用者がハイヒール１００で歩行する時、気室２４と弾性柱状突起２５が緩衝、吸震効果を達成し、履き心地が快適である。
【００１６】
また、脚床２３上に、気室２４と相通する複数の吸気孔２６を穿設し、中底２２と脚床２３の層間に、更に、流道２７を形成させる。流道２７の一端は気室２４と連通し、他端には、排気孔２８を形成して、外界と連通する。本実施形態中、流道２７は靴底２０の外縁に位置し、流道２７は脚床２３と一体成型してもよく、図３中のように、脚床２３の中底２２に対面する一側に凹設してもよい。また、流道２７は気室２４の一端に相対して、ヒール３０に延伸設置する。大底２１上のヒール３０近くに、流道２７と相通する排気孔２８を設置して、流道２７が外界と相通し、且つ、排気孔２８内には、更に、単方向弁２９を設置する。
【００１７】
図２と図３に示すように、使用者がハイヒール１００を使用して歩行する時、気室２４と弾性柱状突起２５が緩衝空間を形成して、緩衝、吸震効果を達成し、歩行時の快適性を増加させる。また、歩行中、脚が地面に着地する時、気室２４内の空気が流道２７によりハイヒール１００から排出する。その後、脚が地面から離れる時、排気孔２８内に単方向弁２９が設置されているので、靴内の空気が、吸気孔２６から気室２４中に進入し、使用者の脚が、再度、地面に着地する時、排気孔２８から排出する。これにより、ハイヒール１００内の空気が不断に交換されて、乾燥環境を維持でき、脚部疾病の発生を予防することもできる。また、気室２４と弾性柱状突起２５等の構造は、中底２２と脚床２３の間に形成させてあるので、ハイヒール１００の厚さを増加させないので、本考案のハイヒール１００は、上述の効果を達成すると同時に、ハイヒール１００の外観の美感を維持することもできる。
【００１８】
図４に、本考案に係るハイヒールの構造の他の好ましい実施形態を示すが、前述の実施形態との差異は、気室２４と弾性柱状突起２５と流道２７が、中底２２と一体成型されたものであり、気室２４内に、通気支承パッド４０を設置したことである。本実施形態中、通気支承パッド４０はスポンジ製パッドが好適であり、流道２７上は、例えば、プラスチック等の硬質板５０を蓋設し、これにより、スポンジパッド４０により、気室２４に別の支承を提供し、しっかりとした着地で、歩行時の安定性を増加させ、硬質板５０により、流道２７が塞がれるのを防止して、気室２４からの排気を円滑にすることができる。
【００１９】
本考案に係るハイヒール構造について好ましい実施態様を前述の通り開示したが、これらにより決して本考案は限定されるものではなく、本考案の均等範囲としては、各々の設計変更がされても本質的事項が共通である限りにおいて保護されるべきものである。
【図面の簡単な説明】
【００２０】
【図１】本考案の好ましい一実施形態によるハイヒールの斜視図である。
【図２】本考案の好ましい一実施形態によるハイヒールの靴底の分解図である。
【図３】本考案の好ましい一実施形態によるハイヒールの靴底の断面図である。
【図４】本考案の他の実施形態によるハイヒールの靴底の分解図である。
【符号の説明】
【００２１】
１００  ハイヒール
１０    靴面
２０    靴底
２１    大底
２２    中底
２３    脚床
２４    気室
２５    弾性柱状突起
２６    吸気孔
２７    流道
２８    排気孔
２９    単方向弁
３０    ヒール
４０    通気支承パッド
５０    硬質板
【図１】
0003161656.tif 000003
【図２】
0003161656.tif 000004
【図３】
0003161656.tif 000005
【図４】
0003161656.tif 000006